(57)【要約】【課題】従来の易開封及び再封が可能なヘッダー付き包装袋の場合、開封時にヘッダー部分が切断され、嵌合チャックにより内容物を出して、残りの内容物を再度密閉して保存する用途に用いられ、袋を吊り下げて使用したい用途には適していなかった。よって、消費者が包装袋を容易に開封でき、かつその包装袋を吊り下げた状態で継続的に利用する有効で簡単な方法が求められていた。【解決手段】ヘッダー部下部の両側縁をヒートシール部とし、その片側側縁部のヘッダー部下部近傍位置に一部未溶着部を設け、その未溶着部の表面フィルムのみに２条の切込みを入れ、この切込みを開封起点として帯状に表面フィルムのみを切除することにより、開口部を形成し、開封することの出来る易開封性手段と袋部内面の袋幅方向に再封を可能とする雌雄嵌合チャックを両側フィルム内面に雌、雄チャックそれぞれを接着して有することを特徴とするヘッダー付き包装袋である。【選択図】図２
2008230666.tif 000002
【特許請求の範囲】
【請求項１】
ヘッダー付き包装袋において、ヘッダー部下部の両側縁をヒートシール部とし、その片側側縁部のヘッダー部下部近傍位置に一部未溶着部を設け、その未溶着部の表面フィルムのみに２条の切込みを入れ、この切込みを開封起点として帯状に表面フィルムのみを切除することにより、開口部を形成し、開封することの出来る易開封性手段と袋部内面の袋幅方向に再封を可能とする雌雄嵌合チャックを両側フィルム内面に雌、雄チャックそれぞれを接着して有することを特徴とするヘッダー付き包装袋
【請求項２】
再封可能とする該雌雄嵌合チャックの表面フイルム側に位置する袋内面の開口部側上部接着部において、その表面に凹凸をつけたり、あるいは擦り傷や微細な小孔をつけることによって滑り止め加工を施したことを特徴とする請求項１に記載のヘッダー付き包装袋
【発明の詳細な説明】
【技術分野】
【０００１】
本発明は、袋上部にヘッダー部を有するヘッダー付き包装袋において、開封後もヘッダー部を切断することなく吊り下げ部として利用が出来、かつ内容物を取り出して再封することが自在に出来る包装袋に関するものである。
【背景技術】
【０００２】
従来、ヘッダー部を有する包装袋において、ヘッダー部分を切断して袋を開封後、内容物を再封して保存するために嵌合チャックを利用する方法が提案されている。（たとえば特許文献１及び２及び３）
【特許文献１】実開昭５７−１７７９５０号公報
【特許文献２】実開平７−２８８４９号公報
【特許文献３】特許第３１９３０００号公報
【発明の開示】
【発明が解決しようとする課題】
【０００３】
前記のような従来のヘッダー付き包装袋の場合、ヘッダー部分が切断されて開封され、開封後は吊り下げて使用することはないために嵌合チャックにより内容物を出して、残りの内容物を再度密閉して保存する用途に用いられていた。そのため、袋を吊り下げて使用したい用途には適していなかった。また、単に開封部があらかじめ設けられ、その封止として嵌合チャックを装着しただけの構成では、商品流通時の事故や故意によって開封されうる可能性としての密閉性に問題があった。そのため、商品流通時には安全であって、その販売後は消費者が包装袋を容易に開封でき、かつその包装袋を吊り下げた状態で継続的に利用する有効で簡単な方法が求められていた。
【０００４】
特許文献１においては、図３に示すようヘッダー付き包装袋２１において、ヘッダー部２２の下部に位置するようにミシン目２３が設けられており、さらにその下部の袋の内面に雌雄嵌合チャック２４を有する。このミシン目２３からヘッダー部２２ごと切り取ることが出来、開封することが出来る。つまり開封すると同時にヘッダー部２２を分断できるようになっている。また内容物を出して、使用し残った場合にはこの雌雄嵌合チャック２４により再封して保存することが出来る。
【０００５】
また、特許文献２においては、図４に示すようにヘッダー付き包装袋２１において、ヘッダー部２２の下部に切り欠き部２５を設けられており、さらにその下部の袋の内面に雌雄嵌合チャック２４を有する。切欠部２５より開封し、袋の開封後にヘッダー部２２を分断できるようになっている。また内容物を出して、使用し残った場合にはこの雌雄嵌合チャック２４により再封して保存することが出来る。
【０００６】
また、特許文献３においては、図５に示すようにヘッダー付き包装袋２１において、袋体下部の開口部２６に雌雄嵌合チャック２４を有し、ヘッダー部２２の下部に分離手段たとえばミシン目２３を設けた構成となっている。内容物が残った場合、前記と同様に雌雄嵌合チャック２４により再封して保存することが出来る。
【０００７】
これらの従来提案された方法を鑑み、内容物である商品を取り出す際に簡単に開封が出来、内容物を残った場合には保存が可能で、さらにその包装袋をヘッダー部を利用して吊り下げて継続的に使用することの出来るヘッダー付き包装袋を提案する。
【０００８】
さらに本発明では、簡単な構成で実現できるため、別途新たな設備を必要とせず、従来の設備のままで実現できる。また開封時に大きな力を必要とせず、年配の方でも容易に開封することが出来、再封利用が可能なヘッダー付き包装袋である。
【課題を解決するための手段】
【０００９】
本発明は前述した課題を解決するために、ヘッダー付き包装袋において、ヘッダー部下部の両側縁をヒートシール部とし、その片側側縁部のヘッダー部下部近傍位置に一部未溶着部を設け、その未溶着部の表面フィルムのみに２条の切込みを入れ、この切込みを開封起点として帯状に表面フィルムのみを切除することにより、開口部を形成し、開封することの出来る易開封性手段と袋部内面の袋幅方向に再封を可能とする雌雄嵌合チャックを両側フィルム内面に雌、雄チャックそれぞれを接着して有することを特徴とするヘッダー付き包装袋である。
【００１０】
また、この雌雄嵌合チャックの開口部側の袋の内面側上部接着部には開封時に指の掛かりが滑りにくくなるようにたとえば接着部表面に凹凸をつけたり、擦り傷や微細な小孔をつけたりの滑り止め加工を施しすことが出来る。
【発明の効果】
【００１１】
本発明によると消費者は購入後、ヘッダー部下部に位置する側縁部分の表面フィルムのみに切り込みを２条入れることにより設けたつまみ片を袋幅方向に引き裂くことにより開口させ、簡単に開封して、内容物を取り出すことができる。その後、残った内容物を雌雄嵌合チャックを利用して袋を密封し保存して、再度使用することが出来る。消費者はこの包装袋ごと、袋に切断されずに残っているヘッダー部分に有した穴により、吊り下げて残りの内容物がなくなるまで便利に利活用することが出来る。
【００１２】
またさらに、開口部側の袋内面側の上部接着部の開封時に指がかかる部分に滑り止め加工がなされているため、指が滑りにくくなり、このため開口部の開封つまみ部が包装袋の設計上あまり寸法が取れない場合や指の力の弱い年配者や子供でもあるいは包装袋に油分や水分が付着している場合など、開封しやすくなり、確実容易に本発明のヘッダー付き包装袋を開封することが出来る。
【００１３】
また、本発明はこれらの目的を達成するためにさらに他の余分な資材を必要としないため、それを供給する方法やコスト面で有利で、環境面に対しても考慮した包装構成となっている。
【発明を実施するための最良の形態】
【００１４】
本発明は前述した課題を解決するために、ヘッダー付き包装袋において、ヘッダー部下部に片側フィルムのみを切除することによって開口部を設け、開封する易開封性手段と袋部内面の袋幅方向に再封を可能とする雌雄嵌合チャックを有することを特徴とするヘッダー付き包装袋である。
【実施例１】
【００１５】
以下、本発明の実施の形態を添付図面に基づいて説明する。
【００１６】
図１は本発明の一実施例であるヘッダー付き包装袋を示した正面図である。１はヘッダー付き包装袋、２はヘッダー部、３は吊り下げ穴、４はヒートシール部、５は未溶着部、６は切り込み、７はつまみ片、８は雌雄嵌合チャックである。
【００１７】
本ヘッダー付き包装袋１は内容物を被包して、袋体上部に位置するヘッダー部２に設けた吊り下げ穴３により包装袋ごと吊り下げて店頭販売される。左右両側部及び底部はヒートシール部４を形成し、密封される。ただし、左側側縁部において、ヘッダー部下縁と雌雄嵌合チャック８の上縁から少し離れた位置との間に未溶着部５を設け、さらにその未溶着部５の表面フィルムのみに切り込み６を２条施し、つまみ片７を形成する構成となっている。
【００１８】
本ヘッダー付き包装袋１において、このつまみ片７を摘んで、幅方向に引き裂くことにより帯状に開封片が形成され、よって開封できるようになっている。
【００１９】
開封すると内容物を取り出すための開口部が形成される。この雌雄嵌合チャック８の開口部側上部接合部にはさらに指を滑りにくくするために、たとえば表面に凹凸をつけたり、擦り傷や微細な小孔をつけたりの滑り止め加工を施すことが可能である。
【００２０】
切り込み６のこの袋の幅方向への直線カット性を向上するためには、たとえばフイルムの素材として、一軸延伸ポリオレフィン系フィルムや二軸延伸ポリアミドフィルムや二軸延伸ポリエステル系フィルムを好適に用いることが出来る。
【００２１】
図２は本ヘッダー付き包装袋を開封したときの斜視図である。１はヘッダー付き包装袋、２はヘッダー部、３は吊り下げ穴、４はヒートシール部、５は未溶着部、６は切り込み、７はつまみ片、８は雌雄嵌合チャック、９は開封片、１０は開封つまみ部、１１は開口部、１２は内容物である。
【００２２】
図２に示したように、内容物１２をヘッダー付き包装袋１から取り出すにあたって、左側側縁部のヒートシール未溶着部５の表側フィルムに設けたつまみ片７を摘んで幅方向に引き裂くことにより帯状に形成された開封片９は右側側縁のヒートシール部まで達し、開口部１１が形成される。この開封片９は引きちぎってもよい。
【００２３】
ついで、表側フィルムのみに形成された開封つまみ部１０を摘んで引っ張ることにより、雌雄嵌合チャック部８が開封され、内容物１２を取り出すことが出来る。残った内容物１２はこの雌雄嵌合チャック８を再封することにより、密封保存がされる。さらに本発明ではヘッダー部２を除去することなく開封及び再封がされるので、ヘッダー部吊り下げ穴３を利用してその包装袋のまま吊り下げて利用することが出来る。
【００２４】
またさらに、開封時に指がかかる開封片つまみ部１０の上部位置の内面表面に凸凹をつけたり、擦り傷や微細な小孔をつけたりした場合、開封時に滑りにくくなり、開封しやすくなる。
【産業上の利用可能性】
【００２５】
本発明はたとえば、内容物が使い捨ての化学雑巾などで多数が包装されており、一度に消費するのではなく、元の包装袋を利用して継続的に使用する場合において、易開封性や再封性さらにはそれに加えて、使いやすさが求められる。本発明の方法ではあらかじめ商品の流通時や販売の陳列時のために設けられたヘッダー部を開封使用時に切除するのではなく、最後まで吊り下げて利用することができるため、いざ使用時に探し回ることがなくかつ使いやすくなる。また袋の内面の開封時に指がかかる開封片上部の表面に凸凹をつけたり、擦り傷や微細な小孔をつけたりした場合、開封時に滑りにくくなり、開封しやすくなる。
【図面の簡単な説明】
【００２６】
【図１】本発明の一実施例であるヘッダー付き包装袋を示した正面図である。
【図２】本発明の一実施例であるヘッダー付き包装袋を開封したときの斜視図である。
【図３】従来例を示した正面図である。
【図４】従来例を示した正面図である。
【図５】従来例を示した正面図である。
【符号の説明】
【００２７】
１    ヘッダー付き包装袋
２    ヘッダー部
３    吊り下げ穴
４    ヒートシール部
５    未溶着部
６    切り込み
７    つまみ片
８    雌雄嵌合チャック
９    開封片
１０  開封つまみ部
１１  開口部
１２  内容物
２１  ヘッダー付き包装袋
２２  ヘッダー部
２３  ミシン目
２４  雌雄嵌合チャック
２５  切欠部
２６  開口部
【図１】
2008230666.tif 000003
【図２】
2008230666.tif 000004
【図３】
2008230666.tif 000005
【図４】
2008230666.tif 000006
【図５】
2008230666.tif 000007